(57)【要約】      （修正有）【課題】屋外設置アンテナで受信した高周波を屋内に引き込む際に窓枠と窓の間の隙間に設置することのでき、窓の開閉枠が当たって大きな外力が作用したり、折り曲げたりしても同軸ケーブルへのダメージがほとんどなく、材料費が低廉な平型高周波伝送ケーブルを提供する。【解決手段】窓の隙間に挿通可能な金属帯板状の抗張力体２に沿って、中心導体５の外側に同心状に絶縁体６、編組線７及びシース８をこの順に外装した同軸ケーブル３を配し、抗張力体２は、その幅方向略中央に沿ってケーブル収容凹溝９が折曲形成されると共に、当該ケーブル収容凹溝９に同軸ケーブル３を嵌合配設した。【選択図】図１
0003164908.tif 000002
【実用新案登録請求の範囲】
【請求項１】
屋外設置アンテナで受信した高周波を屋内に引き込む際に窓枠と窓の間の隙間に設置することのできる屈曲可能な平型高周波伝送ケーブルにおいて、
窓の隙間に挿通可能な金属帯板状の抗張力体に沿って、中心導体の外側に同心状に絶縁体、編組線及びシースをこの順に外装した同軸ケーブルが配され、
前記抗張力体は、その幅方向略中央に沿ってケーブル収容凹溝が折曲形成されると共に、当該ケーブル収容凹溝に前記同軸ケーブルが嵌合配設されたこと特徴とする平型高周波伝送ケーブル。
【請求項２】
前記抗張力体の長手方向に沿って、その左右両端縁が、抗張力体の中央に形成されたケーブル収容凹溝に向かって折り返された請求項１記載の平型高周波伝送ケーブル。
【請求項３】
前記収容凹溝が、前記同軸ケーブルを嵌合するＵ字状に形成され、その深さが同軸ケーブルの外径に等しく形成された請求項１又は２記載の平型高周波伝送ケーブル。
【請求項４】
前記収容凹溝を広げながら同軸ケーブルを嵌合させたときに、当該同軸ケーブルが収容凹溝のバネ弾性により挟持されるように収容凹溝の幅が同軸ケーブルの外径より狭く形成された請求項３記載の平型高周波伝送ケーブル。
【請求項５】
前記収容凹溝に同軸ケーブルを嵌合させたときに、当該同軸ケーブルが収容凹溝の開口部から外れないように収容凹溝の開口幅が同軸ケーブルの外径より狭く形成された請求項３又は４記載の平型高周波伝送ケーブル。
【請求項６】
前記抗張力体の片面側に、前記同軸ケーブルを収容した前記収容凹溝を塞ぐ樹脂テープが貼り付けられた請求項１乃至５いずれか１項記載の平型高周波伝送ケーブル。
【考案の詳細な説明】
【技術分野】
【０００１】
本考案は、屋外設置アンテナで受信した高周波を屋内に引き込む際に窓枠と窓の間の隙間に設置することのできる屈曲可能な平型高周波伝送ケーブルに関する。
【背景技術】
【０００２】
一般家庭に普及しているテレビは、近年、衛星放送、地上波デジタル放送により、高画質、高音質のコンテンツが手軽に楽しめるようになってきている。
このような放送を受信するため、屋外に接地された受信アンテナから同軸ケーブルを介して、屋内に設置されたテレビシステムなどに接続している。
この場合に、アンテナ用同軸ケーブルが屋外から屋内まで壁面を貫通して予め敷設されている建造物は問題ないが、そのようなケーブルが敷設されていない建造物では、エアコン用ダクト設置孔や窓の隙間を利用するなど、何らかの方法で壁面を貫通してケーブルを敷設しなければならない。
【０００３】
ケーブルの敷設工事としては窓の隙間を利用する方法が最も簡便であり、そのための専用ケーブルとして平型高周波伝送ケーブルが提案されている。
従来の平型高周波伝送ケーブル２１〜２３は、図７〜図９に示すように、中心導体５の外側に同心状に絶縁体６、編組線７及びシース８をこの順に外装した
直径１〜２ｍｍの７５Ω規格の極細同軸ケーブル３に沿わせてワイヤ３１を配し、これらを挟むように、片面が導電性で他の面が絶縁材でできた保護テープ２４，２４を貼り合わせたもの（特許文献１）や、中心導体５の外側に同心状に絶縁体６及び編組線７を配した同軸ケーブル３２を中心にしてその左右両側に同径のドレイン線２５，２５を配列したものを銅−ポリエステルテープ２６，２６でサンドイッチにして上下を貼り合わせ、その上から更にラミネートテープ２７，２７で上下を貼り合わせてラミネート成形をしたもの（特許文献２）や、同軸ケーブル３を挟むように金属テープ２８，２８を接着剤３３で貼り合わせた上からさらにポリエステルフィルム２９，２９でラミネートしたもの（特許文献３）などが提案されている。
【０００４】
しかしながら、いずれも同軸ケーブル３は二枚のテープで挟んで支持されており、樹脂テープや、樹脂基材の片面に金属薄膜を形成されたテープを用いた場合は、外力に対して十分な抗力がないため傷つきやすく、敷設後に窓の開閉枠が何度もぶつかるうちに樹脂テープの間に支持されている同軸ケーブルのシース８が破断されて、編組線７が露出されたり、切断されるという問題があった。
また、金属テープ２８，２８で同軸ケーブル３を挟む場合は、開閉枠が衝突することによって不具合が生じることはないが、同軸ケーブル３を保護するために二枚の金属テープ２８，２８が用いられるため、材料費が嵩むという問題がある。
また、図１０に示すように、金属テープ２８，２８で同軸ケーブルを挟んだ平型高周波伝送ケーブル２３をアルミサッシ窓の固定枠３０に沿って折り曲げた場合、段差の入隅Ｐ１及び出隅Ｐ２となる角部で折り曲げられるが、内側となる金属テープ２８が同軸ケーブル３に食い込むように変形して折り曲げられる。
その結果、折り曲げられて尖った部分２８ａと外側となる金属テープ２８ｂとの間に、同軸ケーブル３が拘束され、強く挟まれて変形してしまい、長期間継続して負荷がかかることにより、やはり、同軸ケーブル３が破断されるおそれがあった。
【先行技術文献】
【特許文献】
【０００５】
【特許文献１】特開平１０−３４１５２２号公報
【特許文献２】特開平０８−２０３３５０号公報
【特許文献３】特開平０８−０６９７２３号公報
【考案の概要】
【考案が解決しようとする課題】
【０００６】
そこで本考案は、窓の開閉枠が当たって大きな外力が作用したり、折り曲げたりしても同軸ケーブルへのダメージがほとんどなく、材料費が低廉な平型高周波伝送ケーブルを提供することを技術的課題としている。
【課題を解決するための手段】
【０００７】
この課題を解決するために、請求項１の考案は、屋外設置アンテナで受信した高周波を屋内に引き込む際に窓枠と窓の間の隙間に設置することのできる屈曲可能な平型高周波伝送ケーブルにおいて、窓の隙間に挿通可能な金属帯板状の抗張力体に沿って、中心導体の外側に同心状に絶縁体、編組線及びシースをこの順に外装した同軸ケーブルが配され、前記抗張力体は、その幅方向略中央に沿ってケーブル収容凹溝が折曲形成されると共に、当該ケーブル収容凹溝に前記同軸ケーブルが嵌合配設されたこと特徴としている。
請求項２の考案は、抗張力体の長手方向に沿って、その左右両端縁が、抗張力体の中央に形成されたケーブル収容凹溝に向かって折り返されている。
請求項３の考案は、収容凹溝が、前記同軸ケーブルを嵌合するＵ字状に形成され、その深さが同軸ケーブルの外径に等しく形成されている。
請求項４の考案は、収容凹溝を押し広げながら同軸ケーブルを嵌合させたときに、当該同軸ケーブルが収容凹溝のバネ弾性により挟持されるように収容凹溝の幅が同軸ケーブルの外径より狭く形成されている。
請求項５の考案は、収容凹溝に同軸ケーブルを嵌合させたときに、当該同軸ケーブルが収容凹溝の開口部から外れないように収容凹溝の開口幅が同軸ケーブルの外径より狭く形成されている。
請求項６の考案は、抗張力体の片面側に、前記同軸ケーブルを収容した前記収容凹溝を塞ぐ樹脂テープが貼り付けられている。
【考案の効果】
【０００８】
本考案に係る同軸ケーブル用コネクタによれば、窓の隙間に挿通可能な金属帯板状の抗張力体の幅方向略中央に沿ってケーブル収容凹溝が折曲形成され、そのケーブル収容凹溝に同軸ケーブルが嵌合配設されているので、抗張力体で覆われた面を窓の開閉枠が当たる側にして敷設すれば、同軸ケーブルが抗張力体により保護されるので、窓の開閉により同軸ケーブルがダメージを受けることはない。
また、金属帯板状の抗張力体は同軸ケーブルの片面にのみ配され、同軸ケーブルが両面から拘束されることがないので、窓枠の形状に沿って折り曲げるときに抗張力体が内側になるときでも、同軸ケーブルは外側に逃がされることとなり、抗張力体が折り曲げられて尖った部分で同軸ケーブルが破断されることもない。
さらに、金属帯板状の抗張力体は一枚で足りるので、材料費が嵩むこともない。
【０００９】
請求項２のように、抗張力体の長手方向に沿って、その左右両端縁を抗張力体の中央に形成されたケーブル収容凹溝に向かって折り返しておけば、敷設作業中などに、薄い帯板状の抗張力体の端縁で手を切ることもない。
請求項３のように、収容凹溝が同軸ケーブルを嵌合するＵ字状に形成され、その深さが同軸ケーブルの外径に等しく形成されていれば、同軸ケーブルが収容凹溝内に収まっているので、窓枠に沿って折り曲げたときでもその角部にあたって同軸ケーブルがダメージを受けることがない。
請求項４のように、収容凹溝の幅を同軸ケーブルの外径より狭く形成しておけば、収容凹溝を押し広げながら同軸ケーブルを嵌合させたときに、同軸ケーブルが収容凹溝のバネ弾性によりしっかりと挟持されるので、同軸ケーブルを凹溝に固定する接着剤の接着力が弱くても同軸ケーブルが凹溝から外れることがない。
請求項５のように、収容凹溝の開口幅を同軸ケーブルの外径より狭く形成しておけば、収容凹溝に嵌合された同軸ケーブルが収容凹溝から脱落しにくいので、請求項４と同様、同軸ケーブルを凹溝に固定する接着剤の接着力が弱くても同軸ケーブルが凹溝から外れることがない。
請求項６のように、抗張力体の片面側に、同軸ケーブルを収容した前記収容凹溝を塞ぐ樹脂テープを貼り付けておけば、収容凹溝内にゴミや埃が入るのを防止できる。
【図面の簡単な説明】
【００１０】
【図１】本考案に係る平型高周波伝送ケーブルの一例を示す分解組立図。
【図２】その断面図。
【図３】その外観斜視図。
【図４】その使用状態を示す説明図。
【図５】他の実施形態を示す断面図。
【図６】さらに他の実施形態を示す断面図。
【図７】従来の平型高周波伝送ケーブルを示す断面図。
【図８】従来の平型高周波伝送ケーブルを示す断面図。
【図９】従来の平型高周波伝送ケーブルを示す断面図。
【図１０】従来の平型高周波伝送ケーブルの使用状態を示す説明図。
【考案を実施するための形態】
【００１１】
本例では、窓の開閉枠が当たって大きな外力が作用したり、折り曲げたりしても同軸ケーブルへのダメージがほとんどなく、材料費を低廉に抑えるという目的を達成するために、屋外設置アンテナで受信した高周波を屋内に引き込む際に窓枠と窓の間の隙間に設置することのできる屈曲可能な平型高周波伝送ケーブルにおいて、窓の隙間に挿通可能な金属帯板状の抗張力体に沿って、中心導体の外側に同心状に絶縁体、編組線及びシースをこの順に外装した同軸ケーブルが配され、前記抗張力体は、その幅方向略中央に沿ってケーブル収容凹溝が折曲形成されると共に、当該ケーブル収容凹溝に前記同軸ケーブルを嵌合配設した。
【実施例１】
【００１２】
図１乃至図３に示す本例の平型高周波伝送ケーブル１は、屋外設置アンテナで受信した高周波を屋内に引き込む際に窓枠と窓の間の隙間に設置するためのもので、窓の隙間に挿通可能な全長５０ｃｍ〜１ｍ、幅１〜２ｃｍ程度、厚さ０.５ｍｍ程度のステンレスなどの金属帯板状の抗張力体２に沿って、直径１〜２ｍｍの７５Ω規格の極細高周波同軸ケーブル３が配され、その両端に屋外配線及び屋内配線に用いる４Ｃ又は５Ｃ規格の丸型同軸ケーブル（図示せず）に接続するＦ型コネクタ４（図３参照）が装着されている。
【００１３】
同軸ケーブル３は、中心導体５から順に、絶縁体６、編組線７及びシース８が同心状に配されて成る。
抗張力体２の裏面側には、その幅方向略中央に沿って、断面Ｕ字状のケーブル収容凹溝９がプレス形成などにより折曲形成されると共に、当該収容凹溝９に前記同軸ケーブル３が嵌合配設され、収容凹溝９の内面に塗布された接着剤（図示せず）により固定されている。
なお、収容凹溝９の溝幅、深さ及び開口部９ａの開口幅は同軸ケーブル３の外径と略等しく、収容凹溝９の湾曲部９ｂの曲率半径は、同軸ケーブル３の半径と略等しく形成されている。
また、平型高周波伝送ケーブル１の敷設作業の際などに端縁２Ｒ，２Ｌで手や指を切らないように、抗張力体２の左右両端縁２Ｒ，２Ｌは、その長手方向に沿って、抗張力体２の中央に形成されたケーブル収容凹溝９に向かって折り返されている。
さらに、抗張力体２の裏面側には、収容凹溝９内にゴミや埃が入るのを防止するため、必要に応じて収容凹溝９の開口部９ａを塞ぐ樹脂テープ１０が貼り付けられている。
【００１４】
以上が本考案の一構成例であって、次にその作用について説明する。
屋外に設置されたアンテナに接続されている４Ｃ又は５Ｃ規格の同軸ケーブル（図示せず）と、屋内に設置されたテレビシステム機器に接続されている４Ｃ又は５Ｃ規格の同軸ケーブルとを接続するために平型高周波伝送ケーブル１をアルミサッシなどの窓の隙間に通す場合、図4に示すように、アルミサッシ窓の固定枠１１のレールのないところで平型高周波伝送ケーブル１をその段差形状に沿わせて折り曲げながら、抗張力体２の裏面側を両面接着テープ（図示せず）などで窓枠に固定していく。
【００１５】
このとき、平型高周波伝送ケーブル１は、段差の入隅Ｐ１及び出隅Ｐ２となる角部で折り曲げられる。
入隅Ｐ１となる角部では、同軸ケーブル３の上面を覆う抗張力体２が、同軸ケーブル３に食い込むように折り曲げられる。
抗張力体２は収容凹溝９の底部が同軸ケーブル３の片側に存在するものの、その反対面側に同軸ケーブル３を挟むように他の金属帯板が設けられていないので、抗張力体２と他の金属帯板の間で同軸ケーブルが拘束されることがない。
したがって、抗張力体２が同軸ケーブル３に食い込むように折り曲げられても、同軸ケーブル３は、抗張力体２の折り目に押されて、収容凹溝９の開口部から裏面側に突出するように逃がされ、段差の入隅Ｐ１側に押し付けられるように小さな曲率半径で屈曲されることになる。
したがって、同軸ケーブル３が２枚の金属帯板間に強く挟まれることがなく、変形の度合いや、抗張力体２の折り目が食い込むことによる負荷も小さいので、長期間使用しても同軸ケーブル３が破断しにくい。
【００１６】
また、出隅Ｐ２となる角部では、平型高周波伝送ケーブル１を折り曲げたときに、同軸ケーブル３の内側から食い込むように折り曲げられる金属帯板が設けられていないので、ここでも、折り曲げられた同軸ケーブル３の外側を覆う抗張力体２との間に同軸ケーブル３が強く挟まれることがない。
したがって、変形の度合いや、抗張力体２の折り目が食い込むことによる負荷も小さく、長期間使用しても同軸ケーブル３が破断しにくい。
【実施例２】
【００１７】
図５は本考案に係る他の実施形態を示す説明図である。なお、図１〜４と共通する部分は同一符号を付して詳細説明を省略する。
【００１８】
本例の平型高周波伝送ケーブル１１は、図５（ａ）に示すように、抗張力体２に形成されたケーブル収容凹溝９の湾曲部分９ｂの曲率半径Ｒ１が同軸ケーブル３の半径より小さく選定され、溝幅Ｗ１も同軸ケーブル３の外径Ｄより狭く形成されている。
そして、図５（ｂ）に示すように、収容凹溝９を左右に広げながら同軸ケーブル３を嵌合させると、図５（ｃ）に示すように、収容凹溝９は湾曲部分９ｂのバネ弾性により溝幅を狭める方向に付勢され、同軸ケーブル３は収容凹溝９の側壁９ｃ、９ｃに強固に挟持される。
【００１９】
これによれば、収容凹溝９の内面に塗布された接着剤の接着力と、湾曲部分９ｂのバネ弾性により、同軸ケーブル３がより確実に保持され、接着力が低下することがあっても同軸ケーブル３が脱落し難いというメリットがある。
【実施例３】
【００２０】
図６は、さらに他の実施形態を示す説明図である。なお、図１〜４と共通する部分は同一符号を付して詳細説明を省略する。
【００２１】
本例の平型高周波伝送ケーブル１２は、図６（ａ）に示すように、抗張力体２に形成されたケーブル収容凹溝９の湾曲部分９ｂの曲率半径Ｒ２が同軸ケーブル３の半径と略等しく選定され、開口部９ａの開口幅Ｗ２が同軸ケーブル３の外径Ｄより狭く形成されている。
そして、図６（ｂ）に示すように、抗張力体２の両端に反対方向の曲げモーメントを加えて収容凹溝９の開口部９ａを広げて同軸ケーブル３を嵌合させた後、図６（ｃ）に示すように元に戻せば、収容凹溝９の開口部９ａが狭まり、同軸ケーブル３が抜けにくい。
【００２２】
これによれば、収容凹溝９の内面に塗布された接着剤で固定された同軸ケーブル３が、開口幅Ｗ２の狭い収容凹溝９内に収容されるので、実施例２と同様、同軸ケーブル３がより確実に保持され、接着剤の接着力が低下することがあっても同軸ケーブル３が脱落し難いというメリットがある。
【産業上の利用可能性】
【００２３】
本考案は、衛星放送や地上波デジタル放送などの電波を屋外設置アンテナで受信し、屋内に引き込む際に、窓枠と窓の間の隙間に設置することのできる平型高周波伝送ケーブルの用途に適用し得る。
【符号の説明】
【００２４】
１  １１  １２  平型高周波伝送ケーブル
２  抗張力体
３  同軸ケーブル
５  中心導体
６  絶縁体
７  編組線
８  シース
９  ケーブル収容凹溝
【図１】
0003164908.tif 000003
【図２】
0003164908.tif 000004
【図３】
0003164908.tif 000005
【図４】
0003164908.tif 000006
【図５】
0003164908.tif 000007
【図６】
0003164908.tif 000008
【図７】
0003164908.tif 000009
【図８】
0003164908.tif 000010
【図９】
0003164908.tif 000011
【図１０】
0003164908.tif 000012